(57)【特許請求の範囲】
【請求項１】
両側板と該両側板間を覆う外面板を有する箱状の取付ボックスと、止着部の両側に脚挿通溝を形成した一対の連結具を具備し、上記取付ボックスの両側板には連結パイプを挿通する貫通孔が形成されており、上記連結具の脚挿通溝の端縁には係合片が形成されており、折りたたみ椅子の座部にはスリットと埋込ナットが設けられ、上記取付ボックスの一端側には差し込み片が形成され、他端側にはねじ挿入孔が形成され、該差し込み片を座部に設けた上記スリットに差し込むとともにねじ挿入孔にねじを通して座部にねじ着して上記取付ボックスを折りたたみ椅子の座部の裏面に取り付け、連結パイプを貫通孔に貫通させるとともに隣接する椅子の脚を上記連結具の脚挿通溝に挿入し上記係合片を噛み合わせて止着部を締着したことを特徴とする折りたたみ椅子の連結装置。
【請求項２】
上記連結パイプの断面形状と取付ボックスの貫通孔の断面形状を、断面略長楕円形に形成した請求項１に記載の折りたたみ椅子の連結装置。
【請求項３】
上記断面略長楕円形は、座部の裏面に沿う方向に長く形成されている請求項２に記載の折りたたみ椅子の連結装置。
【請求項４】
上記連結具の係合片は、脚挿通溝の端縁に形成した段部から挿入間隔をあけて突出しており、連結具は段部が接した状態で係合片が対向する連結具の挿入間隙に嵌合する請求項１に記載の折りたたみ椅子の連結装置。
【請求項５】
上記係合片の先端は、段部側に傾斜している請求項４に記載の折りたたみ椅子の連結装置。
【請求項６】
上記連結具の止着部には、ボスとボス孔が形成されている請求項４又は５に記載の折りたたみ椅子の連結装置。
【発明の詳細な説明】
【技術分野】
【０００１】
本発明は、複数の折りたたみ椅子を横方向に連結できるようにした折りたたみ椅子の連結装置に関する。
【背景技術】
【０００２】
近年、各種のイベント会場等ではリースやレンタルにより集められた多数の折りたたみ椅子が使用され、その際、展開の容易さや収納の簡便さを考慮して、３脚、４脚等の複数の折りたたみ椅子を横方向に連結した連結椅子が使用されることが多い。このような折りたたみ椅子の連結装置としては、折りたたみ椅子の座板の裏側に横方向に延びる１本の連結パイプを設け、この連結パイプにより各椅子を連結している連結装置が知られている(例えば特許文献１参照)。
【０００３】
上記特許文献１に記載の折りたたみ椅子では、椅子のシート枠から下向きにボスを突設し、このボス間に連結パイプを一連に渡し、この連結パイプの下面からボルトを挿入し、ボス内に通したボルトの先端をシート枠に引っかけた状態でボルトを連結パイプにねじ着する構成であるから、シート枠にボスを溶接したり、ボルトの先端が見えない状態でシート枠の内面に先端を引っかけなければならず、構成が複雑であり、取付作業も面倒である。その上、連結パイプの全体が座部の裏面の露出しているので、椅子を折りたたんだ際、連結パイプが外面に表れ、複数の折りたたみ椅子を重ね合わせるとき、他の椅子に傷をつけたり、折りたたんだ椅子を床に置いたときに床面を損傷させることがある。また、シート枠にボスを突設しないで、略Ω状の取付部材(サドルバンド)を座部に２個間隔をあけてねじ止めし連結パイプを一連に取り付ける構成も知られているが、取付部材の両端を２箇所でねじ着する構成であるため、ねじ止め箇所が多くなって取付作業が面倒である上、連結パイプや取付金具が露出しているから、特許文献１と同様に損傷を与えるおそれがあり、満足すべきものとはいえない。また、連結パイプの断面形状が円形であるから、椅子を展開したり、折りたたむときに取付部材と連結パイプが相対的に回動し、隣接する椅子が滑ったり、回転したりするおそれがあり、作業性がよくない。連結パイプの断面形状が円形断面の場合、座部の裏面から外方に突出する突出量を多くなるので、この点からも一層損傷を与えやすい。
【０００４】
上記特許文献１に記載の折りたたみ椅子では、上記連結パイプにより連結するとともに隣接する椅子の前脚間を、カラーを介してボルトで連結しているが、このような構成では、脚の横方向からねじ止め作業をしなければならないので、取付作業が面倒である。そのため、平坦部の両側に半筒状部を平行に形成した一対の部材を設け、この部材を隣接する椅子の脚にそれぞれ嵌着して上記平坦部で連結するようにした連結具も知られている(例えば特許文献２参照)。しかし、特許文献２に記載の連結具は、椅子に取り付けた状態で、半筒状部の端縁が突き合わされているだけであるから、椅子が動揺して連結具をねじるような力が作用すると、簡単に端縁間が開口し、手指や衣服等を挟んだり、半筒状部から脚が外れて椅子が分離してしまうおそれがある。
【先行技術文献】
【特許文献】
【０００５】
【特許文献１】実公昭４２−１９３７９号公報（実用新案請求の範囲、図面）
【特許文献２】実公昭５６−２３５３２号公報（実用新案請求の範囲、図面）
【発明の概要】
【発明が解決しようとする課題】
【０００６】
本発明の解決課題は、折りたたみ椅子を簡単に連結することができ、他の部分を損傷するおそれが少なく、かつ壊れにくい折りたたみ椅子の連結装置を提供することである。
【課題を解決するための手段】
【０００７】
本発明によれば、両側板と該両側板間を覆う外面板を有する箱状の取付ボックスと、止着部の両側に脚挿通溝を形成した一対の連結具を具備し、上記取付ボックスの両側板には連結パイプを挿通する貫通孔が形成されており、上記連結具の脚挿通溝の端縁には係合片が形成されており、上記取付ボックスを折りたたみ椅子の座部の裏面に取り付け、連結パイプを貫通孔に貫通させるとともに隣接する椅子の脚を上記連結具の脚挿通溝に挿入し上記係合片を噛み合わせて止着部を締着したことを特徴とする折りたたみ椅子の連結装置が提供され、上記課題が解決される。
【０００８】
また、本発明によれば、上記取付ボックスの一端側には差し込み片が形成され、他端側にはねじ挿入孔が形成され、該差し込み片を座部に設けたスリットに差し込むとともにねじ挿入孔にねじを通して座部にねじ着し、上記連結パイプと取付ボックスの貫通孔を断面略長楕円形に形成した上記折りたたみ椅子の連結装置が提供される。さらに、上記連結具の係合片は、脚挿通溝の端縁に形成した段部から挿入間隔をあけて突出しており、連結具は段部が接した状態で係合片が対向する連結具の挿入間隙に嵌合する上記折りたたみ椅子の連結装置が提供される。
【発明の効果】
【０００９】
本発明は、上記のように構成され、折りたたみ椅子の座部の裏面に、両側板と該両側板間を覆う外面板を有する箱状の取付ボックスを設け、この取付ボックスの両側板に貫通孔を形成して連結パイプを挿通するようにしたので、連結パイプの取付機構が簡素化され、連結パイプは殆ど取付ボックスにより隠され、従来の取付金具に比べて外部に露出する部分を少なくでき、従来のように他の椅子を傷つけたり、床を損傷するおそれが少ない。また、止着部の両側に脚挿通溝を形成した一対の連結具を設け、この連結具の脚挿通溝の端縁に係合片を形成したので、隣接する椅子の脚を上記連結具の脚挿通溝に挿入し上記係合片を噛み合わせた状態で止着部を締着することにより、連結具は強固に合着することができる。そのため、連結具を分離させるような無理な力が椅子に作用しても係合片が噛み合っているので、端縁が簡単に開口するおそれがなく、手指の挟着や椅子の分離を避けることができる。
【００１０】
また、差し込み片とねじ挿入孔を取付けボックスの両端側にそれぞれ設け、差し込み片を座部に設けたスリットに差し込むとともにねじ挿入孔にねじを通して座部に取り付けるようにすると、座部に取付ける際のねじ止め箇所が少なくなり、取付作業が簡便になる。上記連結パイプと取付ボックスの取付孔を断面略長楕円形に形成すると、差し込んだ状態で連結パイプと取付ボックスが相対的に回転しないようにでき、横方向に連結した折りたたみ椅子を展開したり、折りたたむときに椅子が滑らないようにでき、作業し易い。その上、座部から裏面側に突出する連結パイプの突出量が、断面円形のパイプに比べて少なくなり、損傷を与える可能性も少なくできる。
【００１１】
さらに、連結具の端縁に係合片を設けて噛み合わせるようにしたので、連結具どうしを分離するような無理な力が椅子に作用しても係合片の係合により、連結具が簡単に分離しないようにでき、連結具間に隙間が生じにくく、手指、衣服等を挟まないようにできる。
【図面の簡単な説明】
【００１２】
【図１】本発明の一実施例を示し、３脚連結した折りたたみ椅子の正面図。
【図２】一部を省略した折りたたみ状態の一部の正面図。
【図３】取付ボックスを示し、(Ａ)は斜視図、(Ｂ)は平面図、(Ｃ)は側面図。
【図４】連結具を示す分解斜視図。
【図５】分離した状態の連結具の説明図。
【発明を実施するための形態】
【００１３】
本発明は、各種の折りたたみ椅子に適用することができるが、一実施例を示す図においては、前脚１と、該前脚１に折りたたみ可能に連結された後脚２および座部３と、前脚の上方に設けた背部４を具備し、公知のように座部３の先部を持って上方に回動すると、前脚１、後脚２を折りたたむことができ、その状態から座部３の先部を下方に回動すると、前脚１、後脚２が開き、座部３がほぼ水平状態に展開され、着座することができる。
【００１４】
上記折りたたみ椅子の座部３の裏面には略箱状の取付ボックス５が取り付けられている。この取付ボックス５は、好ましくはプラスチック材料で成形され、図３に示すように、ほぼ矩形状に形成され、側板６が両側に起立している。該側板６は、座部３の裏面側の内辺７が、座部に沿うよう直線状でかつ中央部が外方に湾曲する形状に形成され、座部から離れる側の外辺８は、座部との間に空間を形成するよう中央部が座部の裏面から離れる方向に膨らんだ弧状に形成され、上記裏面側の内辺７よりも外辺８が内方に位置するように側板全体が傾斜している。該側板６には、座部の裏面に沿う方向に長く形成されている長孔、図に示す実施例では、内辺、外辺に沿ってストレート部を有する断面略長楕円状の貫通孔が形成されている。取付ボックスは、上記の形状により、全体が薄く形成され、かつ強度があり、折りたたみ状態の椅子を積層しても壊れにくくできる。
【００１５】
上記取付ボックス５には、両側板６を覆うよう外面板１０が形成されている。該外面板１０の一端側の両端には矩形状の差し込み片１１が突設されており、他端側の両端にはねじ挿通孔１２が設けられている。この差し込み片１１とねじ挿通孔１２に対応して、上記座部３の裏面には、図２に示すように、差し込み片１１が挿入されるスリット１３が２箇所開口されており、ねじ１４をねじ着するための埋込ナット１５が埋め込まれている。また、外面板１０のほぼ中央部には開口部縁をさらもみした固定用孔１６が設けられている。なお、外面板１０の内面には、上記貫通孔９の両端側を結ぶ横リブ１７と、該横リブ１７と外面板の端縁間に延びる縦リブ１８が設けられ、固定用孔１６の周囲には隆起部１９が形成されている。
【００１６】
隣接する折りたたみ椅子の前脚１間は、一対の連結具２０で連結される。該連結具２０は、好ましくはプラスチック材料で成形され、略平板状の止着部２１の両側に、脚挿通溝２２が形成されている。上記止着部２１の中央部には止着孔２３が形成され、内面の隅部には２つのボス２４と、対向する連結具のボスに嵌合可能がボス孔２５が突設され、かつリブ２６が設けられている。上記脚挿通溝２２は、脚の断面形状に対応して断面半円形等の形状に形成することもできるが、図に示す実施例では折りたたみ椅子の前脚１の断面形状が扁平な断面略長楕円状に形成されているので、それに対応して断面略半長楕円状に形成してある。該脚挿通溝２２を形成する壁部２７の端縁には、該端縁の厚さの半分の厚さ部分で外方に延びる段部２８が形成され、該段部２８の外側に係合片２９が突設されている。この係合片２９は、段部より外方に突出する先端部分が弧状に形成され、挿入間隙３０をあけて複数設けられ、この挿入間隙３０は、壁部の外側に形成され底部が弧状の受溝になっている。なお、該係合片２９の先端部は、少し段部側に傾いており、この傾斜により一対の連結具を合着した際に係合片は挿入間隙３０に嵌合して壁部２７の外面に噛み合い、かつ上記ボス２４がボス孔２５に嵌合することにより連結具を強固に結合させることができる。該連結具２０の外面にも止着孔２３の両側を囲むリブ３１が設けられている。
【００１７】
上記取付ボックスに貫挿される連結パイプ３２は、上記取付ボックスに設けた貫通孔９の断面形状に対応した形状に形成され、図に示す実施例では長孔状の貫通孔に対応してストレート部を有する断面略長楕円形に形成されている。上記貫通孔９及び連結パイプ３２は、所望により断面円形、断面矩形その他適宜の形状に形成することもできる。実施例のように、断面略長楕円形のパイプにして短い方を座部の折りたたみ方向にすると、取付ボックス５の厚さを、丸パイプに比べて薄く形成することができ、かつ取付ボックス５と相対的に回転しないように嵌合させることができるから、折りたたみ椅子の展開、折りたたみ操作が安定し、操作性が増す。なお、連結パイプ３２には、取付ボックス５に設けた固定用孔１６に対応する位置にねじ孔３３が設けられている。
【００１８】
上記構成により、折りたたみ椅子を連結するには、座部３の裏面に設けたスリット１３に取付ボックス５の差し込み片１１を差し込み、ねじ挿通孔１２にねじ１４を差し込んで座部裏に設けた埋込ナット１５にねじ着して取付ボックス５を座部３に固定する。そして、隣接する椅子の取付ボックス５の貫通孔９に連結パイプ１２を連通し、固定用孔１６にねじ３４を通してねじ止めする。一方、隣接する椅子の前脚１の前後から２つの連結具２０を当てがい、脚挿通溝２２に脚１を嵌合し、各連結具２０の係合片２９を相手側の連結具に噛み合わせ、止着部２１をねじ３５とナット３６でねじ止めすれば、折りたたみ椅子は、連結パイプ３２と連結具２０で横方向に確実に連結される。
【００１９】
本発明は、上記ように構成されているので、左右の折りたたみ椅子を動揺しないように確実に連結することができ、展開、収納操作が簡単である。また、組み立てるには、取付ボックスと一対の連結具で簡単に組み立てできるから、作業が容易で手早くでき、部品点数も少ないので、経済的である。  
【符号の説明】
【００２０】
１    前脚
２    後脚
３    座部
５    取付ボックス
９    貫通孔
１１  差し込み片
１２  ねじ挿通孔
１３  スリット
１５  埋込ナット
２０  連結具
２１  止着部
２２  脚挿通溝
２４  ボス
２５  ボス孔
２９  係合片
３２  連結パイプ
【図１】
0006677529.tif 000002
【図２】
0006677529.tif 000003
【図３】
0006677529.tif 000004
【図４】
0006677529.tif 000005
【図５】
0006677529.tif 000006